(57)【要約】【課題】複数の交流電力発生器を直列または並列に切替え接続できる交流電力供給装置により駆動制御される交流電動機において、交流電力を入力させて合成することにより、巻線から発生する空間高調波を低減させた交流電動機を得る。【解決手段】固定子および複数の３相巻線を有し、複数の交流電力発生器２、３から電力が供給される交流電動機５であって、固定子に、複数の３相巻線を電気的に絶縁させて巻回し、３相巻線の各々に、複数の交流電力発生器２、３で発生した交流電力を入力させるとともに、交流電力が合成される。【選択図】図１
2004222500.tif 000002
【特許請求の範囲】
【請求項１】
固定子および複数の３相巻線を有し、複数の交流電力発生器から電力が供給される交流電動機であって、
前記固定子に、前記複数の３相巻線を電気的に絶縁させて巻回し、前記３相巻線の各々に、前記複数の交流電力発生器で発生した交流電力を入力させるとともに、前記交流電力が合成されることを特徴とする交流電動機。
【請求項２】
前記各３相巻線は、前記固定子に同位相で巻回されたことを特徴とする請求項１に記載の交流電動機。
【請求項３】
前記複数の交流電力発生器を第１および第２のＰＷＭインバータとし、前記第１および第２のＰＷＭインバータのそれぞれにＰＷＭ信号生成用の搬送波を出力し、前記第１のＰＷＭインバータに対する搬送波の位相に対して、前記第２のＰＷＭインバータに対する搬送波の位相が電気角πだけずらされたことを特徴とする請求項１または請求項２に記載の交流電動機。
【請求項４】
前記複数の３相巻線は、第１および第２の３相巻線を含み、前記第１の３相巻線と前記第２の３相巻線とは、互いに電気角π／６だけ位相がずらされて前記固定子に巻回されたことを特徴とする請求項２に記載の交流電動機。
【請求項５】
前記固定子に３相巻回された前記第１の３相巻線をＹ結線とし、前記第１の３相巻線に対して電気角π／６だけ位相がずらされて前記固定子に巻回された前記第２の３相巻線をΔ結線とし、前記第１および第２の３相巻線を並列接続したことを特徴とする請求項４に記載の交流電動機。
【請求項６】
前記複数の交流電力発生器を第１および第２の交流電力発生器とし、
前記第１の３相巻線は、前記第１の交流電力発生器から交流電力が供給され、
前記第２の３相巻線は、前記第２の交流電力発生器から交流電力が供給され、
前記第２の交流電力発生器から供給される交流電力は、前記第１の交流電力発生器から供給される交流電力に対して電気角π／６だけ位相がずらされたことを特徴とする請求項５に記載の交流電動機。
【請求項７】
Ｙ結線された前記第１の３相巻線の巻回数と、Δ結線された前記第２の３相巻線の巻回数との比が、ほぼ１：√３に設定されたことを特徴とする請求項５または請求項６に記載の交流電動機。
【請求項８】
前記複数の３相巻線は、第１、第２、第３および第４の３相巻線を含み、
前記固定子に３相巻回され且つＹ結線された前記第１の３相巻線と、前記第１の３相巻線に対して電気角π／６だけ位相がずらされて巻回され且つΔ結線された前記第２の３相巻線と、を並列接続し、
前記第１の３相巻線に対して電気角π／１２だけ位相がずらされて３相巻回され且つＹ結線された前記第３の３相巻線と、前記第３の３相巻線に対して電気角π／６だけ位相がずらされて巻回され且つΔ結線された第４の３相巻線と、を並列接続したことを特徴とする請求項１に記載の交流電動機。
【請求項９】
前記複数の交流電力発生器を第１および第２の交流電力発生器とし、
並列接続された前記第１および第２の３相巻線は、前記第１の交流電力発生器から交流電力が供給され、
並列接続された前記第３および第４の３相巻線は、前記第２の交流電力発生器から交流  前記第２の交流電力発生器から供給される交流電力は、前記第１の交流電力発生器から供給される交流電力に対して電気角π／１２だけ位相がずらされたことを特徴とする請求項８に記載の交流電動機。
【発明の詳細な説明】
【技術分野】
【０００１】
この発明は、複数のインバータ（電力変換器）を直列または並列に切替え接続できる交流電力供給装置により駆動制御される交流電動機に関するものである。
【背景技術】
【０００２】
従来の多重ＰＷＭインバータ装置を用いた交流電動機としては、２つのＰＷＭインバータの出力波形の位相をずらした後に、リアクトルで波形を合成してインバータ出力の高調波を低減するものがあった（たとえば、非特許文献１参照）。
【０００３】
【非特許文献１】電気学会「半導体電力変換回路」１９８７年オーム社（ｐ１２５、図６．３．１８、ｐ１０２、表６．２．１（ａ））
【発明の開示】
【発明が解決しようとする課題】
【０００４】
従来の交流電動機では、多重ＰＷＭインバータ装置により、各ＰＷＭインバータの出力波形の位相をずらした後に、リアクトルで波形を合成する方法では、インバータ出力電圧を調整するために変調率を下げると、インバータ出力の高調波成分が増加し、モータの損失が増加するという課題があった。
【０００５】
また、非特許文献１に示される交流電動機では、２つのＰＷＭインバータの位相をずらしてリアクトルで合成し、高調波を減らすものであるが、その結果、１次（基本波）成分も減少するという事態が生じるという課題があった。
【０００６】
この発明は、上記のような課題を解消するためになされたもので、インバータをＰＷＭ駆動したときに発生する高調波電圧の影響を抑制した交流電力供給装置によって駆動制御され、各交流電力発生器で発生した交流電力を入力させて合成することにより、巻線から発生する空間高調波を低減させることのできる交流電動機を得ることを目的とする。
【課題を解決するための手段】
【０００７】
この発明による交流電動機は、固定子に、複数の３相巻線を電気的に絶縁させて巻回し、３相巻線の各々に、複数の交流電力発生器で発生した交流電力を入力させるとともに、交流電力が合成されるものである。
【発明の効果】
【０００８】
この発明によれば、巻線から発生する空間高調波を低減させることができる。
【発明を実施するための最良の形態】
【０００９】
実施の形態１．
以下、この発明の実施の形態１を図について説明する。
図１はこの発明の実施の形態１に係る交流電動機のための交流電力供給装置（インバータ装置）の第１の例を示す構成図である。
【００１０】
図１において、バッテリ１には、６個のトランジスタを３相ブリッジ結線して構成した第１の交流電力変換装置としての第１のインバータ２と、同様に６個のトランジスタを３相ブリッジ結線して構成した第２の交流電力変換装置としての第２のインバータ３とが接続されている。
【００１１】
第１のインバータ２は、バッテリ１の直流正極入力側２１と、第２の開閉スイッチ７を介したバッテリ１の直流負極入力側２２との間に接続されており、それぞれ直列接続された各一対のトランジスタＱｕ１１−Ｑｕ１２、Ｑｖ１１−Ｑｖ１２およびＱｗ１１−Ｑｗ１２が互いに並列接続されて構成されている。
【００１２】
同様に、第２のインバータ３は、第３の開閉スイッチ８を介したバッテリ１の直流正極入力側３１と、バッテリ１の直流負極入力側３２との間に接続されており、それぞれ直列接続された各一対のトランジスタＱｕ２１−Ｑｕ２２、Ｑｖ２１−Ｑｖ２２およびＱｗ２１−Ｑｗ２２が互いに並列接続されて構成されている。
【００１３】
第１のインバータ２の直流負極入力側２２には、第１の開閉スイッチ６により第２のインバータ３の直流正極入力側３１が接離可能に接続されている。
なお、第１の開閉スイッチ６、第２の開閉スイッチ７および第３の開閉スイッチ８により、直並列接続切替手段が構成されている。また、３相ブリッジを構成する各トランジスタのコレクタ−エミッタ間には、転流用ダイオードＤが逆並列接続されている。
【００１４】
電力合成手段としての３相変圧器４は、Ｙ−Ｙ結線された２つの一次巻線と、１つの二次巻線とを備えている。３相変圧器４の第１の一次巻線には、第１の入力端４１を介して、第１のイバータ２のＵ相出力端子、Ｖ相出力端子およびＷ相出力端子が接続されている。
【００１５】
また、３相変圧器４の第２の一次巻線には、第２の入力端４２を介して、第２のイバータ３のＵ相出力端子、Ｖ相出力端子およびＷ相出力端子が接続されている。
さらに、３相変圧器４の二次巻線には、出力端子４３を介して、交流電動機としてのモータ５の３相巻線が接続されている。
【００１６】
次に、この発明の実施の形態１に関連した交流電力供給装置の動作について説明する。
まず、モータ５の起動時で回転数（周波数）が低い領域では図示しない回転検出手段の検出信号に基づいて第１の開閉スイッチ６が閉、第２、第３の開閉スイッチ７、８が開となり第１のインバータ２と第２のインバータ３が直列接続される。この結果、第１のインバータ２および第２のインバータ３の直流入力電圧はバッテリ１の電圧の１／２の電圧となる。この状態で第１のインバータ２、第２のインバータ３が動作すると各インバータ２、３の出力は３相変圧器４で合成されてモータ５の３相巻線に入力される。
【００１７】
直列接続すると第１のインバータ２および第２のインバータ３の直流入力電圧が１／２になるため、各インバータ２、３の出力電圧も１／２が最大となり、モータ５の回転数が低いときに低い起電力で駆動する。だが、第１のインバータ２および第２のインバータ３の直流入力電圧が低いため各インバータ２、３の変調率は従来の場合の２倍に大きくできる。したがって、第１のインバータ２および第２のインバータ３の出力波形に占める高調波電圧の割合が減り、高調波電流による損失を小さくできる効果がある。
【００１８】
次に、モータ５の回転数が上がって行くと、図示しない回転検出手段の検出信号に基づいて第１の開閉スイッチ６を開、第２、第３の開閉スイッチ７、８を閉にして第１のインバータ２と第２のインバータ３を並列接続する。この結果、各インバータ２、３の直流入力電圧はバッテリ１の電圧そのものとなる。したがって、従来と同等の電圧が得られ、モータ５の逆起電力が大きい高速回転域でも充分なインバータ出力電圧が得られる。
【００１９】
上記では、２個のインバータ２、３の出力を３相変圧器４で合成する構成を示したが、２個のインバータの出力を各々別の２個のモータの駆動に用いてもよい。
また、図２はこの発明の実施の形態１に関連したインバータ装置の第２の例を示す構成図である。なお、図２において、図１と同一符号のものについては、前述と同一または相当部分を示しているので、その詳細な説明は省略する。
【００２０】
図２に示したインバータ装置は、図１に示すインバータ装置から第３の開閉スイッチ８が省略され、カソードが第１のインバータ２の直流正極入力側に接続され、アノードが第２のインバータ３の直流正極入力側に接続されている。図２の構成において、第２のインバータの直流正極側３１は、常時バッテリ１の正極端子に接続されている。
【００２１】
したがって、第１の開閉スイッチ６が閉で、且つ、第２の開閉スイッチ７が開の場合には、第１のインバータ２および第２のインバータ３が直列接続され、このときのインバータ制御動作は、図１の場合と同様になる。
【００２２】
いま、第２の開閉スイッチ７が閉、第１の開閉スイッチ６が開の状態では、ダイオード９により第２のインバータ３へのバッテリ電圧の印加が阻止されため、第１のインバータ２のみが第２の開閉スイッチ７によりバッテリ１に接続され、第２のインバータ３にはバッテリ１が接続されない状態となる。この状態で第１のインバータ２を動作させると、第１のインバータ２のみでモータ５を駆動することになる。
【００２３】
だが、高速回転時は、高い電圧が要求され、電流は少なくてもよいので特にインバータのスイッチング素子の電流容量を大きなものにする必要はない。このようにすることで開閉スイッチを第１、２第の開閉スイッチ６、７の２個で構成できる。また、第２の開閉スイッチ７を開放時に、第２のインバータ３の発生電圧はダイオード９によりバッテリ１に回生することができる。
【００２４】
図１、図２の例では、第１および第２のインバータ２、３の出力電圧を３相変圧器４で合成してモータに５に供給した場合を示したが、この発明の実施の形態１に係るモータ５においては、図３の回路図に示すように、Ｙ結線された第１の３相巻線５１ａ、５１ｂ、５１ｃと、同じくＹ結線された第２の３相巻線５２ａ、５２ｂ、５２ｃと、が同一のスロットに巻回されている。
【００２５】
そして、第１の３相巻線５１ａ、５１ｂ、５１ｃは第１の入力端４１を介して第１のインバータ２の３相出力に接続され、第２の３相巻線５２ａ、５２ｂ、５２ｃは第２の入力端４２を介して第２のインバータ３の３相出力に接続されている。
【００２６】
すなわち、第１のインバータ２の３相出力と第２のインバータ３の３相出力をモータ５内部の固定子（電機子）のスロットで合成するようにしたものであり、その結果、３相変圧器４が不要になる。
【００２７】
図４は各３相巻線の例を示す巻線図であり、１極あたりのスロット数が１２の場合の全節巻きの例を示している。
図４において、Ｕ１、Ｖ１、Ｗ１は第１の３相巻線、Ｕ２、Ｖ２、Ｗ２は第２の３相巻線で、第１の３相巻線と同じスロットに巻かれている。
【００２８】
インバータ装置によるモータ制御動作は、図１の場合と同様に、第１の開閉スイッチ６が閉、第２、第３の開閉スイッチ７、８が開の状態では第１のインバータ２と第２のインバータ３が直列接続された状態となり、第１のインバータ２および第２のインバータ３に印加される直流入力電圧はバッテリ１の電圧の１／２の電圧となる。
【００２９】
この状態で第１のインバータ２、第２のインバータ３が動作すると各インバータ２、３の出力はモータ５内部の第１の３相巻線５１ａ、５１ｂ、５１ｃ、第２の３相巻線５２ａ、５２ｂ、５２ｃで合成されモータ５を駆動する。このとき、各インバータ２、３の直流入力電圧が１／２になっているので各インバータ２、３の出力電圧も１／２が最大となり、モータ５の回転数が低いときは低い起動電圧で駆動するが、印加される直流入力電圧が低いため各インバータ２、３の変調率は従来の場合の２倍大きくできる。
【００３０】
したがって、各インバータ２、３の出力電圧形に占める高調波電圧の割合が減り、高調波電流による損失を小さくできる効果がある。また、２個のインバータ２、３の出力電流がモータ５内で合成されるので個々のインバータ２、３のスイッチング素子の電流容量はインバータ装置を１個で構成した場合の１／２でよく、トータルのスイッチング素子の電流容量は同じもので済む。
【００３１】
次に、第１の開閉スイッチ６を開、第２、第３の開閉スイッチ７、８を閉とすると、第１のインバータ２と第２のインバータ３は並列接続され、各インバータ２、３の直流入力電圧はバッテリ１の電圧そのものとなる。したがって、第１のインバータ２と第２のインバータ３を直列接続したときの２倍の出力電圧が得られ、モータ５の逆起電力が大きい高速回転域でも充分なインバータ出力電圧が得られる。
【００３２】
また、図５のように、第３の開閉スイッチ８を省略して、図２の場合と同様にインバータ装置を構成し、低速時は第１の開閉スイッチ６を閉、第２の開閉スイッチ７を開とし、高速時は第１の開閉スイッチ６を開、第２の開閉スイッチ７を閉としてもよい。
【００３３】
この場合、高速時には第１の３相巻線５１ａ、５１ｂ、５１ｃのみに電流を流すため、モータ５の効率が若干低下するが、開閉スイッチを２個で構成できる。また、高速時においては電圧が２倍になるのでインバータ出力電流は１／２でよいため１個のインバータでモータ５を駆動してもインバータのスイッチング素子の電流容量を増やす必要はない。
【００３４】
実施の形態２．
図６はこの発明の実施の形態２におけるＰＷＭ波形生成の概念を説明するためのブロック図である。
図６において、三角波発信器１０１は、搬送波としての三角波を発信し、３相電圧発生器１０２は、図示しないインバータの電圧指令に基づく振幅値を有するたとえば正弦波からなる３相基準電圧を発生する。
【００３５】
コンパレータ１０３〜１０５は、それぞれ一方の入力端子に三角波発信器１０１より搬送波としての三角波を入力し、他方の入力端子に３相電圧発生器１０２より発生した３相基準電圧を入力して三角波の振幅と３相基準電圧の振幅とを比較する。
反転器１０６は、三角波発信器１０１より発生した三角波の論理レベルを反転して出力する。
【００３６】
コンパレータ１０７〜１０９は、それぞれ、一方の入力端子において、三角波発信器１０１より発生して反転器１０６で論理レベルが反転された三角波を取り込み、他方の入力端子において、３相電圧発生器１０２より発生した３相基準電圧を取り込むことにより、三角波の振幅と３相基準電圧の振幅とを比較する。
【００３７】
図７（ａ）〜（ｅ）はＰＷＭ波形生成動作を説明するための電圧波形を示すタイミング波形図であり、１相分の波形のみを示している。
図７（ａ）において、３相電圧発生器１０２から３相基準電圧１１１が発生し、三角波発信器１０１から三角波（変調電圧）１１０が出力されてコンパレータ１０３〜１０５に入力されると、各振幅が比較される。
【００３８】
コンパレータ１０３〜１０５では、三角波１１０の振幅が３相基準電圧１１１の振幅よりも低い期間毎にレベルがＨとなるパルス列１１２が、ＰＷＭ変調波として、図７（ｂ）のように出力される。
【００３９】
パルス列１１２の波形を、図示しない第１のインバータ２（図１を参照）における上側アームのトランジスタのオン信号とし、パルス列１１２の波形を反転したものを、図示しない第１のインバータ１の下側アームにおけるトランジスタのオン信号とすることにより、第１のインバータ２が駆動される。
【００４０】
また、図７（ｂ）において、３相電圧発生器１０２から３相基準電圧１１４が発生し、反転器１０６からは三角波発信器１０１から三角波を反転した三角波（変調電圧）１１３が出力されてコンパレータ１０７〜１０９に入力されると、各振幅が比較される。
【００４１】
コンパレータ１０７〜１０９では、三角波１１３の振幅が３相基準電圧１１４の振幅よりも低い期間毎にレベルがＨとなるパルス列１１５が、ＰＷＭ変調波として、図７（ｄ）のように出力される。
【００４２】
パルス列１１５の波形を、図示しない第２のインバータ３（図１を参照）における上側アームのトランジスタのオン信号とし、パルス列１１５の波形を反転したものを、図示しない第２のインバータ３の下側アームにおけるトランジスタのオン信号とすることにより、第２のインバータ３が駆動される。
【００４３】
このようにして生成された２つのＰＷＭ波形で、たとえば図３の２つのインバータを駆動すると、その合成された波形は、図７（ｅ）におけるパルス波形１１６のようになる。
パルス波形１１６においては、単一のインバータをＰＷＭ駆動したものに対して、高調波の周波数が約２倍になる。
【００４４】
その結果、モータ５の高調波に対するリアクタンスも２倍となるので、高調波電流が小さくなって、高調波電流による銅損が減り、モータ５の効率が向上する。
さらに、モータ５内部でインバータ出力波形を合成するので、リアクトルなどが不要となる。
【００４５】
図６に示したこの発明の実施の形態２では、第１および第２のインバータ２、３を、直列／並列切替えできるインバータ装置の例を示したが、２つのインバータ出力を合成するものであれば、特に２つのインバータを開閉スイッチによって直列／並列切替えする必要はなく、あらかじめ並列または直列に接続された２つのインバータの出力をモータ５で合成してモータ駆動波形を形成しても上述と同様の効果がある。
【００４６】
また、図４に示すように、２つのインバータを直列接続するか、または、単一のインバータのみを使用するか、を切替えられるように構成されたインバータ装置においては、単一のインバータのみを使用する場合は従来装置と同じであるが、直列接続した場合には、上述と同様の効果を奏する。
【００４７】
実施の形態３．
以下、この発明の実施の形態３について、図を用いて説明する。
図８はこの発明の実施の形態３に係るモータ５を交流電力供給装置とともに示す構成図である。
なお、図８において、図３と同一符号のものについては、前述と同一または相当部分を示しているので、その詳細な説明は省略する。
【００４８】
図８に示したこの発明の実施の形態３に係るモータ５においては、第１の３相巻線５１ａ、５１ｂ、５１ｃと、第２の３相巻線５３ａ、５３ｂ、５３ｃと、が互いに電気角π／６だけ空間位相がずらされて同一の固定子に巻回されている。
【００４９】
図９は巻線の例を示す巻線図であり、１極あたりのスロット数１２の全節巻きの例を示している。
図９においては、第１の巻線Ｕ、Ｖ、Ｗと、第２の巻線Ｒ、Ｓ、Ｔとの関係が示されている。
【００５０】
第１のインバータ２および第２のインバータ３は、互いに位相が電気角π／６だけずらされた３相交流波形を出力する。
したがって、モータ５は、１２相交流電圧で駆動されたものと同様となり、単に各インバータ２、３の出力の位相をずらして合成する従来装置に対し、第１および第２の巻線の空間位相もずらして基本波の低下を防ぎ、これにより、空間高調波を低減し、トルクリップルを抑制し、且つ、高調波損失を低減することができる効果がある。
【００５１】
図８に示したこの発明の実施の形態３では、２つの第１および第２のインバータ２、３が、第１および第３の開閉スイッチ６、８により直列／並列を切替え可能な例を示したが、２つのインバータの出力を合成するものであれば、特に第１および第３の開閉スイッチ６、８による直列／並列の切替えは必要でない。
【００５２】
たとえば、あらかじめ、並列または直列に接続された２つのインバータ出力の駆動波形として、モータ５の第１の３相巻線５１ａ、５１ｂ、５１ｃと、第２の３相巻線５３ａ、５３ｂ、５３ｃとに出力して合成しても、上述と同様の効果がある。
【００５３】
実施の形態４．
以下、この発明の実施の形態４について、図を用いて説明する。
図１０はこの発明の実施の形態４に係るモータ５を交流電力供給装置とともに示す構成図である。
なお、図１０において、図８と同一符号のものについては、前述と同一または相当部分を示しているので、その詳細な説明は省略する。
【００５４】
図１０に示したこの発明の実施の形態４に係るモータ５においては、Ｙ結線された第１の３相巻線５１ａ、５１ｂ、５１ｃと、Δ結線された第２の３相巻線５４ａ、５４ｂ、５４ｃと、が同一の固定子に巻かれている。
第２の３相巻線５４ａ、５４ｂ、５４ｃは、第１の３相巻線５１ａ、５１ｂ、５１ｃに対して、電気角π／６だけ空間位相がずらされて巻かれている。
【００５５】
巻線の例を図１１に示す。図は１極あたりのスロット数が１２の場合の全節巻きの例を示している。図において、Ｕ、Ｖ、ＷはＹ結線された第１の３相巻線、Ｒ、Ｓ、ＴはΔ結線された第２の３相巻線を示している。すなわち、Ｙ結線とΔ結線により各巻線が巻回される各スロットに印加される電圧の位相を電気角π／６だけずらし、且つ、スロットの配置を電気角π／６だけずらすことで１２相交流電圧を作り３相交流で１２相交流相当の駆動方式を得ている。このようにすることで空間高調波起磁力が小さくなり、モータ５のトルクリップルの抑制、高調波損失の低減に効果がある。
【００５６】
また、Ｙ結線された第１の３相巻線５１ａ、５１ｂ、５１ｃの巻き数と、Δ結線された第２の３相巻線５４ａ、５４ｂ、５４ｃの巻き数比を約１：√３とすることでＹ結線の起電力とΔ結線の起電力のバランスをとることができ、循環電流による損失の増加を低減できる。
【００５７】
また、このようなモータ内における第１の３相巻線５１ａ、５１ｂ、５１ｃと第２の３相巻線５４ａ、５４ｂ、５４ｃにより従来の単一のインバータで空間高調波を低減できる。
【００５８】
実施の形態５．
以下、この発明の実施の形態５について、図を用いて説明する。
図１２はこの発明の実施の形態５に係るモータ５を交流電力供給装置とともに示す構成図である。
なお、図１２において、図１０と同一符号のものについては、前述と同一または相当部分を示しているので、その詳細な説明は省略する。
【００５９】
図１２に示したこの発明の実施の形態５に係るモータ５においては、第１の３相巻線５１ａ、５１ｂ、５１ｃがＹ結線され、第２の３相巻線５４ａ、５４ｂ、５４ｃがΔ結線されている。第２の３相巻線５４ａ、５４ｂ、５４ｃは、第１の３相巻線５１ａ、５１ｂ、５１ｃに対して、その空間位相が電気角π／６だけずらされて同一のスロットに巻回されている。
【００６０】
第２の３相巻線５４ａ、５４ｂ、５４ｃの３相端は、第１の３相巻線５１ａ、５１ｂ、５１ｃの３相端とともに、第１の入力端４１を介して、第１のインバータ２の３相出力に接続されている。
【００６１】
同様に、モータ５においては、第３の３相巻線５５ａ、５５ｂ、５５ｃがＹ結線され、第４の３相巻線５６ａ、５６ｂ、５６ｃがΔ結線されている。
第３の３相巻線５５ａ、５５ｂ、５５ｃは、第１の３相巻線５１ａ、５１ｂ、５１ｃに対して空間位相が電気角π／１２だけずらされて同一のスロットに巻回され、第４の３相巻線５６ａ、５６ｂ、５６ｃは、第３の３相巻線５５ａ、５５ｂ、５５ｃに対して空間位相が電気角π／６だけずらされて同一のスロットに巻回されている。
【００６２】
第４の３相巻線５６ａ、５６ｂ、５６ｃの３相端は、第３の３相巻線５５ａ、５５ｂ、５５ｃの３相端とともに、第２の入力端４１を介して、第２のインバータ３の３相出力端に接続されている。
【００６３】
図１３はこの発明の実施の形態５における巻線図であり、第１〜第４の３相巻線５１ａ、５１ｂ、５１ｃ、５４ａ、５４ｂ、５４ｃ〜５６ａ、５６ｂ、５６ｃの巻線例を、１極あたりのスロット数が１２の場合の全節巻きの例として示している。
【００６４】
図１３において、第１の３相巻線Ｕ１、Ｖ１、Ｗ１はＹ結線され、第２の３相巻線Ｒ１、Ｓ１、Ｔ１はΔ結線されている。
第２の３相巻線Ｒ１、Ｓ１、Ｔ１は、第１の３相巻線Ｕ１、Ｖ１、Ｗ１に対して、空間位相が電気角π／６だけずらされて巻回され、Δ結線の３相端は、第１の３相巻線Ｕ１、Ｖ１、Ｗ１に接続されている。
【００６５】
また、第３の３相巻線Ｕ２、Ｖ２、Ｗ２は、Ｙ結線されており、第４の３相巻線Ｒ２、Ｓ２、Ｔ２はΔ結線されている。
第３の３相巻線Ｕ２、Ｖ２、Ｗ２は、第１の３相巻線Ｕ１、Ｖ１、Ｗ１に対して空間位相が電気角π／１２だけずらされて巻回されている。
また、第４の３相巻線Ｒ２、Ｓ２、Ｔ２は、第３の３相巻線Ｕ２、Ｖ２、Ｗ２に対して空間位相が電気角π／６だけずらされて巻回され、Δ結線の３相端は、第３の３相巻線Ｕ２、Ｖ２、Ｗ２に接続されている。
【００６６】
図１２において、第１のインバータ２および第２のインバータ３の３相交流出力の位相を、互いに電気角π／１２だけずらすことにより、モータ５は、２４相交流電圧で駆動されることになり、空間高調波の大幅な低減およびトルクリップルの抑制が可能となる。
【００６７】
第１のインバータ２および第２のインバータ３は、開閉スイッチ６、７、８により直列／並列切替えができるようにしてもよい。
また、開閉スイッチ８を省略して、直列または単独でインバータを使用してもよく、または、あらかじめ直列接続または並列接続に固定してもよい。
【００６８】
さらに、Ｙ結線の巻線５１ａ、５１ｂ、５１ｃ、５５ａ、５５ｂ、５５ｃと、Δ結線の巻線５４ａ、５４ｂ、５４ｃ、５６ａ、５６ｂ、５６ｃとの巻き数比を、約１：√３に設定することにより、循環電流による損失を減らせることができる。
【００６９】
実施の形態６．
以下、この発明の実施の形態６について、図を用いて説明する。
図１４はこの発明の実施の形態６に係る交流電動機のためのインバータ装置を示す構成図である。
なお、図１４において、図１と同一符号のものについては、前述と同一または相当部分を示しているので、その詳細な説明は省略する。
【００７０】
図１４において、第１のインバータ２は、３相ブリッジ結線されており、直流正極入力側２１がバッテリ１の正極に接続されている。
第２のインバータ３は、同様に３相ブリッジ結線されており、直流負極入力側３２がバッテリ１の負極に接続されている。
【００７１】
第１のインバータ２において、直流負極入力側２２は、ダイオード６で第２のインバータ３の直流正極入力側３１に接続されるとともに、直流負極入力側２２と第２のインバータ３の直流負極入力側３２（バッテリ１の負極）との間には、トランジスタ７１のコレクタおよびエミッタが接続され、また、直流正極入力側２１（バッテリ１の正極）と第２のインバータ３の直流正極入力側３１との間には、トランジスタ８１のコレクタおよびエミッタが接続されている。
【００７２】
２入力１出力の３相変圧器４において、第１の入力端子４１は、第１のインバータ２の出力端に接続され、第２の入力端子４２は、第２のインバータ３の出力端に接続され、出力端子４３は、モータ５の３相巻線に接続されている。
【００７３】
次に、図１４に示したこの発明の実施の形態６の動作について説明する。
まず、トランジスタ７１およびトランジスタ８１をオフして、第１のインバータ２および第２のインバータ３を直列接続すると、第１のインバータ２および第２のインバータ３には、バッテリ１の電圧の１／２の電圧がかかり、第１のインバータ２および第２のインバータ３の出力電圧を低く設定することができる。
【００７４】
このため、高い変調率で所望の電圧が得られ、さらに、高調波電圧の含有率が減り、高調波によるインバータ出力の損失を低減することができる。
第１のインバータ２および第２のインバータ３の出力は、３相変圧器４で合成され、モータ５を駆動する。
【００７５】
次に、モータ５の回生時の動作について説明する。
モータ５が外部から駆動されて発電した場合、３相変圧器４を介して、第１のインバータ２および第２のインバータ３の直流入力端に回生電圧が発生する。
【００７６】
このとき、第１のインバータ２の回生電圧は、トランジスタ７１に並列接続されたダイオード７２を介して、バッテリ１に回生されて充電される。
また、第２のインバータ３の回生電圧は、トランジスタ８１に並列接続されたダイオード８２を介して、バッテリ１に回生されて充電される。
【００７７】
次に、トランジスタ７１、トランジスタ８１をオンにすると、バッテリ１の電圧は、第１のインバータ２およびトランジスタ７１を介して供給されるとともに、第２のインバータ３およびトランジスタ８１を介して供給され、第１のインバータ２および第２のインバータ３は、並列に接続された状態となる。
【００７８】
したがって、第１のインバータ２および第２のインバータ３の直流入力電圧は、いずれもバッテリ１の電圧そのものとなり、各インバータ２、３を直列接続した場合と比べて、２倍の電圧が印加されることになる。
【００７９】
また、このときの回生時の動作において、第１のインバータ２の回生電圧は、ダイオード７２を介してバッテリ１に回生されて充電され、また、第２のインバータ３の回生電圧は、ダイオード８２を介してバッテリ１に回生されて充電される。
【００８０】
図１４に示したこの発明の実施の形態６では、３相変圧器４を用いて、第１のインバータ２および第２のインバータ３の出力を合成してモータ５を駆動したが、３相変圧器４を省略することもできる。
たとえば、図１５のように、モータ５の内部で、第１のインバータ２および第２のインバータ３の出力を合成してもよい。
【００８１】
また、各インバータ１、２をＰＷＭインバータとした場合、ＰＷＭ信号を生成する際の第１のインバータ２に対する搬送波と、第２のインバータ３に対する搬送波との位相を電気角πだけずらして、各インバータ２、３の出力位相を互いに電気角πだけずらしてもよい。
【００８２】
また、モータ５の第１の３相巻線および第２の３相巻線の空間位相を、互いに電気角π／６だけずらして、第１のインバータ２および第２のインバータ３の各３相出力位相を電気角π／６だけずらして１２相交流電圧を作り、３相交流に基づいて１２相交流相当でモータ５を駆動してもよい。
【００８３】
さらに、各インバータ２、３の直列接続時（トランジスタ７１、８１がオフ時）には各インバータ２、３をＰＷＭ駆動し、各インバータ２、３の並列接続時（トランジスタ７１、８１がオン時）には、各インバータ２、３を１２０度通電し且つトランジスタ７１、８１を開閉（オンオフ）作動させることで、各インバータ２、３の直流入力電圧を調整するようにＰＡＭ駆動してもよい。
【００８４】
このようにＰＷＭ駆動およびＰＡＭ駆動を適用した場合、モータ５の回転周波数領域が低くてモータの起電力が小さい場合には、各インバータ２、３を直列接続してＰＷＭ駆動することにより、低次の高調波が小さい高効率運転ができ、モータ５の起電力が大きくなる周波数の高い領域では、各インバータ２、３を並列接続することにより、高い駆動電圧を得るとともに、各インバータ２、３のスイッチング周波数を低くすることができるので、各インバータ２、３に使用するスイッチング素子として、動作速度が遅い低価格のものを使用することができる。
【００８５】
また、モータ５の２つの一次巻線の空間位相を互いに電気角π／６だけずらすとともに、各インバータ２、３の３相出力位相を互いに電気角π／６だけずらすことにより、各インバータ２、３をＰＡＭ駆動した際に、ＰＡＭ駆動によるモータ５の時間高調波も低減することができ、効率のよい運転を実現することができる。
【００８６】
また、各インバータ２、３の並列接続時において、トランジスタ７１、８１を開閉動作させて、各インバータ２、３の直流入力電圧を制御しつつ、各インバータ２、３をＰＷＭ駆動してもよい。これにより、各インバータ２、３の変調率が高い状態でモータ５を駆動することができるので、高調波の含有率が減り、効率の高いモータ運転を実現することができる。
【００８７】
なお、上記実施の形態６では直列／並列切替えスイッチとして、トランジスタを使用したが、他の半導体スイッチング素子、たとえば、ＭＯＳＦＥＴやＩＧＢＴなどを使用してもよい。
【００８８】
実施の形態７．
以下、この発明の実施の形態７について、図を用いて説明する。
図１６はこの発明の実施の形態７に係る交流電動機のためのインバータ装置を示す構成図である。
なお、図１６において、図１５と同一符号のものについては、前述と同一または相当部分を示しているので、その詳細な説明は省略する。
【００８９】
図１６に示したこの発明の実施の形態７に係るインバータ装置においては、前述（図１５参照）と同様のダイオード６１に対して、トランジスタ６２が逆方向並列接続されている。
トランジスタ６２は、第１および第２のインバータ２、３を直列接続で使用する際にオンされる。
【００９０】
この場合、モータ５の駆動時においては、先に述べた実施の形態６の場合と同様なので、必ずしもトランジスタ６２をオンさせておく必要はない。
一方、モータ５が外部から駆動されて回生動作をする場合には、トランジスタ６２がオンされることにより、第１のインバータ２および第２のインバータ３がトランジスタ６２を介して直列接続され、各インバータ２、３の電圧がバッテリ１を充電するので、モータ５の逆起電力が小さい低速回転時でも回生動作が容易になる。
【００９１】
実施の形態８．
以下、この発明の実施の形態８について、図を用いて説明する。
図１７はこの発明の実施の形態８に係る交流電動機のためのインバータ装置を示す構成図である。
なお、図１７において、図１６と同一符号のものについては、前述と同一または相当部分を示しているので、その詳細な説明は省略する。
【００９２】
図１７に示したこの発明の実施の形態８に係るインバータ装置においては、前述（図１６参照）と同様のダイオード６１に対して、直列にトランジスタ６３が追加されるとともに、トランジスタ６２に対して、さらに直列にダイオード６４が追加されている。
【００９３】
各ダイオード６１、６４と、各トランジスタ６２、６３との接続関係は、以下の通りである。
すなわち、ダイオード６１のアノードは、第１のインバータ２の直流負極入力側２２に接続され、ダイオード６１のカソードは、トランジスタ６３のコレクタに接続され、トランジスタ６３のエミッタは、第２のインバータ３の直流正極入力側３１に接続されている。
【００９４】
また、ダイオード６４のカソードは、第１のインバータ２の直流負極入力側２２に接続され、ダイオード６４のアノードは、トランジスタ６４のエミッタに接続され、トランジスタ６４のコレクタは、第２のインバータ３の直流正極入力側３１に接続されている。
【００９５】
まず、第１および第２のインバータ２、３の並列駆動時の動作について説明する。
この場合、トランジスタ６２、６３をオフにするとともに、トランジスタ７１、８１を開閉動作させて、インバータ２、３の直流入力電圧を変化させることにとり、インバータ２、３をＰＡＭ制御する。
【００９６】
また、第１および第２のインバータ２、３の直列時の動作においては、トランジスタ７１、８１をオフにするとともに、トランジスタ６２、６３をオンにする。
このように、トランジスタ６２を開閉動作させることにより、第１のインバータ２および第２のインバータ３の直流入力電圧を調節することができる。
【００９７】
また、第１および第２のインバータ２、３は、ＰＡＭ駆動することができるので、各インバータ２、３のスイッチング素子は、動作速度が遅い低価格のもので充分に使用に耐えることができる。
【００９８】
また、各インバータ２、３の直列時にはトランジスタ６３を開閉動作し、並列時には、トランジスタ７１、８１を開閉動作させて、第１および２のインバータ２、３の直流入力電圧を制御するとともに、第１および２のインバータ２、３をＰＷＭ制御することにより、ＰＷＭ変調率が高い状態で使用できるので、高調波含有率が減り、モータ５の効率を向上させることができる。
【００９９】
なお、図１８はこの発明に関連した信号発生回路の構成例を示すブロック図である。
図１８に示した信号発生回路は、第１および第２のインバータ２、３に対する直列接続／並列接続切替信号および電圧指令信号を生成する切替信号出力手段として機能する。
【０１００】
すなわち、信号発生回路は、この発明の実施の形態１、３、５における第１の開閉スイッチ６および第２の開閉スイッチ７、８に対して、または、実施の形態６〜８におけるトランジスタ６２、６３、７１、７８に対して、直列接続／並列接続切替信号（Ｈ、Ｌレベル信号）を生成するために用いられる。
【０１０１】
図１８において、コンパレータ２０１の＋入力端子には、モータ５の駆動制御に応じた電圧指令が入力され、コンパレータ２０１の−入力端子には、あらかじめ設定された基準電圧が入力される。
ここで、基準電圧は、第１および第２のインバータ２、３が出力し得る最大電圧の１／２の値に設定されており、電圧指令は、所望する正弦波の振幅に相当する直流値である。
【０１０２】
コンパレータ２０１は、入力された電圧指令値が基準電圧よりも高い場合には、各インバータ２、３が並列接続されて各インバータ２、３にバッテリ１の電圧がそのまま印加されるように、Ｈレベルの並列接続切替信号を出力し、電圧指令値が基準電圧よりも低い場合は、各インバータ２、３が直列接続されるように、Ｌレベルの出力信号を反転器２０２でＨレベルに反転して直列接続切替信号を出力する。
【０１０３】
コンパレータ２０１の出力信号は、前述（図１参照）のインバータ装置であれば、第２および第３の開閉スイッチ７、８および反転器２０７を介して、第１の開閉スイッチ６に分岐出力される。
【０１０４】
また、電圧指令値が基準電圧よりも高い場合において、コンパレータ２０１から出力されたＨレベルの並列接続切替信号が、ストローブ信号としてアナログバッファ２０３に入力されると、コンパレータ２０１に対する電圧指令は、アナログバッファ２０３を介して、第１および第２のインバータ２、３に対する電圧指令として、３相電圧発生器１０２（図６参照）に入力される。
なお、図６においては、反転器１０６で三角波の電圧を反転しているが、必ずしも反転器１０６は必要ではない。
【０１０５】
一方、電圧指令値が基準電圧よりも低い場合には、コンパレータ２０１から、Ｌレベル信号が負のストローブ信号としてアナログバッファ２０４に入力され、電圧指令出力手段としてのかけ算器２０５で２倍にされた電圧指令が、アナログバッファ２０４を介して、第１および第２のインバータ２、３の電圧指令として３相電圧発生器１０２（図６参照）に入力される。
【０１０６】
以上のような回路構成において、電圧指令の値がコンパレータ２０１で基準電圧と比較され、基準電圧よりも高い場合は第１および第２のインバータ２、３を並列接続するＨレベルの並列接続切替信号が出力される。
【０１０７】
この結果、たとえばインバータ装置が図１に示す構成であれば、コンパレータ２０１より第２の開閉器スイッチ７と第３の開閉スイッチ８にＨレベルの並列接続切替信号がそれぞれ入力されているので、第２および第３の開閉スイッチ７、８はオンして第１のインバータ２と第２のインバータ３をバッテリ１に対して並列接続する。
【０１０８】
そして、第１の開閉スイッチ６は反転器２０２でＬレベルに反転され信号が入力されるためオフ状態となる。その結果、第１のインバータ２と第２のインバータ３はオン状態となった第２および第３の開閉スイッチ７、８により並列接続される。コンパレータ２０１に入力された電圧指令は、そのまま第１および第２のインバータの電圧指令値としてアナログバッファ２０３より３相電圧発生器１０２に入力される。
【０１０９】
また、電圧指令値が基準電圧よりも低い場合は、コンパレータ２０１よりＬレベルの信号が出力される。
【０１１０】
そして、第２および第３の開閉スイッチ７、８にＬレベルの信号がそれぞれ入力されてるため、第２および第３の開閉スイッチ７、８はオフ状態となる。また、第１の開閉スイッチ６には反転器２０２でＨレベルに反転された信号が入力されるため、第１の開閉スイッチ６はオン状態となる。その結果、第１のインバータ２と第２のインバータ３はオン状態となった第１の開閉スイッチ６により直列接続される。
【０１１１】
コンパレータ２０１からＬレベルの信号がアナログバッファ２０４のストローブ端子に入力されると、トライステーツバッファ２０４は掛け算器２０５により２倍された電圧指令を第１のインバータ２の電圧指令、第２のインバータ３の電圧指令として３相電圧発生器１０２に出力する。
【０１１２】
すなわち、各インバータ２、３が直列接続された場合、各インバータ２、３の直流入力電圧が１／２になるためインバータ２、３の電圧指令値を２倍することで実際に出力される電圧を元の電圧指令値と等しくするものである。このようにすることで、常に必要な電圧がインバータ２、３から得られ、且つ、インバータ２、３の変調率を常に高く保ち高調波を最小限におさえて効率のよいモータ運転を行うことができる。
【０１１３】
図１９（ａ）は各インバータ２、３（図１６参照）に対するスイッチング制御回路の構成例を示すブロック図であり、たとえば図１６内の各インバータ２、３を並列接続または直列接続した場合の直流入力電圧の調整に適した回路を示している。
【０１１４】
図１９（ｂ）は各インバータ２、３に対するＰＷＭ信号発生回路の構成例を示すブロック図であり、切替信号により各インバータ２、３が並列／直列接続されている際に、各インバータ２、３にＰＷＭ信号を発生する駆動手段としての回路を示している。
【０１１５】
図１９（ａ）の回路構成に含まれるコンパレータ２０１は、＋入力端子に入力された電圧指令が−入力端子にあらかじめ入力された基準電圧よりも高くなると、Ｈレベル信号をトライステーツバファ３０９のストローブ端子に出力する。ここで、電圧指令は、所望する正弦波電圧の振幅に相当する直流値である。
【０１１６】
一方、電圧指令が基準電圧よりも低くなると、コンパレータ２０１は、Ｌレベル信号を反転器２０２でＨレベル信号に反転して、トライステーツバファ３０１のストローブ端子に出力する。
【０１１７】
コンパレータ２０１から、トライステーツバファ３０９のストローブ端子にＨレベル信号が入力されると、トライステーツバファ３０９の前段のコンパレータ３０７から出力されるＰＷＭ信号（三角波発生器３０６からの三角波と電圧指令との比較結果）が、切替信号として、トライステーツバファ３０９を介してトランジスタ７１、８１のベースに入力される。
【０１１８】
また、反転器２０２から、トライステーツバファ３１０のストローブ端子にＨレベル信号が入力されると、トライステーツバファ３１０の前段のコンパレータ３０８から出力されるＰＷＭ信号（三角波発生器３０６からの三角波と掛け算器２０５で２倍された電圧指令との比較結果）が、切替信号として、トライステーツバファ２０４を介してトランジスタ６２のベースに入力される。
【０１１９】
また、図１９（ｂ）の回路構成に含まれるコンパレータ３０３〜３０５は、それぞれ、三角波発生３０１からの三角波と、３相正弦波発生器３０２からの正弦波（三角波の振幅と等しい振幅を有する）とを比較して、ＰＷＭ信号を出力する。
【０１２０】
各コンパレータ３０３〜３０５は、出力したＰＷＭ信号を第１のインバータ２と第２のインバータ３の上アームにおけるトランジスタのベースに入力する。また、図示しないが、出力されたＰＷＭ信号は、反転器で反転されて第１のインバータ２と第２のインバータ３の下アームにおけるトランジスタのベースに入力される。
【０１２１】
次に、図１９に示した回路の動作について、図１６に示すインバータ装置を例にとって説明する。
まず、インバータ装置の出力電圧を決める電圧指令が基準電圧よりも高くなると、コンパレータ２０１はＨレベル信号をトライステーツバファ３０９のストローブ端子に入力し、コンパレータ３０７のＰＷＭ信号をトランジスタ８１、７１のベースに入力して開閉動作を行わせながら、第１および第２のインバータ２、３を並列接続する。
【０１２２】
トランジスタ８１、７１はＰＷＭ信号のパルスレイトに応じて開閉動作を繰り返すため、並列接続された各インバータ２、３に入力されるバッテリ電圧は調整される。このとき、第１および第２のインバータ２、３はＰＷＭ信号発生回路からのＰＷＭ信号により制御されているため正弦波ＰＷＭの変調率は常に１になり、高調波が少ない効率のよいモータ運転を行うことができる。
【０１２３】
また、電圧指令が基準電圧よりも低下すると、コンパレータ２０１からはＬレベル信号が出力される。この信号は反転器２０２でＨレベル信号に反転されてトライステーツバファ３１０のストローブ端子に入力し、コンパレータ３０８のＰＷＭ信号をトランジスタ６１のベースに入力して開閉動作を行わせながら、第１および第２のインバータ２、３を直列接続する。
【０１２４】
トランジスタ６１はＰＷＭ信号のパルスレイトに応じて開閉動作を繰り返すため、直列接続された各インバータ２、３に入力されるバッテリ電圧の平均値は調整されるため、常に必要な電圧が第１および第２のインバータ２、３から得られる。
【０１２５】
このとき、第１および第２のインバータ２、３はＰＷＭ信号発生回路からのＰＷＭ信号により制御されているため正弦波ＰＷＭの変調率は常に１になり、高調波が少なくなって効率のよいモータ運転を行うことができる。
【０１２６】
なお、上記各実施の形態１〜８では、２台のインバータ２、３を直並列接続するように第１〜第３の開閉スイッチ６〜８（または、トランジスタ６１〜８１）を設けたが、直並列接続するインバータの台数は、２台に限らず３台以上の任意数に設定してもよい。
ただし、インバータ数を増加させる際には、これに応じて、開閉スイッチ数（または、トランジスタ数）を増加させ、複数のインバータを直並列接続させるようにオンオフ動作させることになる。
【０１２７】
以上のように、この発明の実施の形態１（図３〜図５）によれば、固定子に、複数の３相巻線を電気的に絶縁させて巻回し、これら３相巻線の各々に各交流電力発生器で発生した交流電力を入力させて合成するようにしたので、変圧器を省略でき、装置の小型化および低コストを実現した交流電動機が得られる効果がある。
【０１２８】
また、各３相巻線を同位相で巻回したので、３相巻線構成を単純化した交流電動機が得られる効果がある。
【０１２９】
また、この発明の実施の形態２（図６、図７）によれば、各交流電力発生器を第１および第２の交流電力変換器とし、これら交流電力変換器の個々の制御用信号である第１および第２のＰＷＭ信号をそれぞれ生成する第１の搬送波の位相と第２の搬送波の位相とを互いに電気角πだけずらしたので、ＰＷＭ信号による高調波周波数を２倍の周波数にし、高調波電圧に対する電動機等の負荷のインピーダンスを大きくして高調波損失を低減した交流電動機が得られる効果がある。
【０１３０】
また、この発明の実施の形態３（図８、図９）によれば、第１の３相巻線および第２の３相巻線を、電気角π／６だけ位相をずらして固定子に巻回したので、空間高調波の大幅な低減とともに、トルクリップルの抑制を実現した交流電動機が得られる効果がある。
【０１３１】
また、この発明の実施の形態４（図１０、図１１）によれば、固定子に３相巻回された第１の３相巻線をＹ結線とし、第１の３相巻線に対して電気角π／６だけ位相をずらして巻回された第２の３相巻線をΔ結線とし、第１および第２の３相巻線を並列接続したので、１２相交流として、空間高調波を低減させた交流電動機が得られる効果がある。
【０１３２】
また、第１の３相巻線に第１の交流電力発生器より交流電力を供給するとともに、第２の３相巻線に第１の交流電力発生器で供給されて交流電力より電気角π／６だけ位相をずらした交流電力を第２の交流電力発生器より供給して駆動するようにしたので、１２相交流として、空間高調波を低減させた交流電動機が得られる効果がある。
【０１３３】
また、Ｙ結線された第１の３相巻線の巻回数と、Δ結線された第２の３相巻線の巻回数の比を、ほぼ１：√３に設定したので、Ｙ結線の起電力とΔ結線の起電力をバランス良くすることができ、循環電流による損失を低減した交流電動機が得られる効果がある。
【０１３４】
また、この発明の実施の形態５（図１２、図１３）によれば、固定子に３相巻回され且つＹ結線された第１の３相巻線と、第１の３相巻線に対して電気角π／６だけ位相をずらして巻回され且つΔ結線された第２の３相巻線とを並列接続し、第１の３相巻線に対して電気角π／１２だけ位相をずらして３相巻回され且つＹ結線された第３の３相巻線と、第３の３相巻線に対して電気角π／６だけ位相をずらして巻回され且つΔ結線された第４の３相巻線とを並列接続したので、空間高調波の大幅な低減とともに、トルクリップルの抑制を実現した交流電動機が得られる効果がある。
【０１３５】
また、この発明の実施の形態６（図１４、図１５）によれば、並列接続された第１および第２の３相巻線は、第１の交流電力発生器から交流電力が供給され、並列接続された第３および第４の３相巻線は、第２の交流電力発生器から、第１の交流電力発生器からの交流電力に対して電気角π／１２だけ位相をずらした交流電力が供給されるようにしたので、電動機は２４相交流電圧で駆動されることになり、空間高調波の大幅な低減およびトルクリップルの抑制を実現した交流電動機が得られる効果がある。
【０１３６】
また、この発明の実施の形態７（図１６）によれば、第１の開閉手段が開状態のときに第２、第３の開閉手段の開閉動作を繰り返し、第１の電力変換器および第２の電力変換器の直流入力電圧を変化させるようにしたので、常に必要な電圧が電力変換手段から得られ、且つ、電力変換手段の変調率を常に高く保ち高調波を最小限に抑えて効率のよい運転が可能な交流電動機が得られる効果がある。
【０１３７】
また、この発明の実施の形態８（図１７）によれば、第２および第３の開閉手段が開状態のときに第１の開閉手段の開閉動作を繰り返し、または第１の開閉手段が開状態のとき、第２および第３の開閉手段の開閉動作を繰り返し、第１および第２の電力変換器の直流入力電圧を変化させるようにしたので、常に必要な電圧が電力変換手段から得られ、且つ、電力変換手段の変調率を常に高く保ち高調波を最小限に抑えて効率のよい運転が可能な交流電動機が得られる効果がある。
【図面の簡単な説明】
【０１３８】
【図１】この発明の実施の形態１に関連したインバータ装置の第１の例を示す回路図である。
【図２】この発明の実施の形態１に関連したインバータ装置の第２の例を示す回路図である。
【図３】この発明の実施の形態１に係るモータ装置（交流電動機）を第１の交流電力発生手段とともに示す回路図である。
【図４】この発明の実施の形態１に係るモータ巻線を示す巻線図である。
【図５】この発明の実施の形態１に係るモータ装置（交流電動機）を第２の交流電力発生手段とともに示す回路図である。
【図６】この発明の実施の形態２に係るモータ装置（交流電動機）に適用される交流電力発生手段を示す部分回路図である。
【図７】この発明の実施の形態２に係るＰＷＭ波形の合成を示すタイミング波形図である。
【図８】この発明の実施の形態３に係るモータ装置（交流電動機）を交流電力発生手段とともに示す回路図である。
【図９】この発明の実施の形態３に係るモータ巻線を示す巻線図である。
【図１０】この発明の実施の形態４に係るモータ装置（交流電動機）を交流電力発生手段とともに示す回路図である。
【図１１】この発明の実施の形態４に係るモータ巻線を示す巻線図である。
【図１２】この発明の実施の形態５に係るモータ装置（交流電動機）を交流電力発生手段とともに示す回路図である。
【図１３】この発明の実施の形態５に係るモータ巻線を示す巻線図である。
【図１４】この発明の実施の形態６に係るモータ装置（交流電動機）を第１の交流電力発生手段とともに示す回路図である。
【図１５】この発明の実施の形態６に係るモータ装置（交流電動機）を第２の交流電力発生手段とともに示す回路図である。
【図１６】この発明の実施の形態７に係るモータ装置（交流電動機）を交流電力発生手段とともに示す回路図である。
【図１７】この発明の実施の形態８に係るモータ装置（交流電動機）を交流電力発生手段とともに示す回路図である。
【図１８】この発明に関連した信号発生回路の構成例を示すブロック図である。
【図１９】この発明に関連したスイッチング制御回路およびＰＷＭ信号発生回路の構成例を示すブロック図である。
【符号の説明】
【０１３９】
１  バッテリ、２  第１のインバータ、３  第２のインバータ、４  変圧器、５  モータ、６  第１の開閉スイッチ、７  第２の開閉スイッチ、８  第３の開閉スイッチ、５１ａ〜５１ｃ  第１の３相巻線、５２ａ〜５２ｃ  第２の３相巻線、５３ａ〜５３ｃ  第２の３相巻線、５４ａ〜５４ｃ  第２の３相巻線、５５ａ〜５５ｃ  第３の３相巻線、５６ａ〜５６ｃ  第４の３相巻線、６１  ダイオード、６２  トランジスタ、６３  トランジスタ、６４  ダイオード、７１  トランジスタ、７２  ダイオード、８１  トランジスタ、８２  ダイオード。
【図１】
2004222500.tif 000003
【図２】
2004222500.tif 000004
【図３】
2004222500.tif 000005
【図４】
2004222500.tif 000006
【図５】
2004222500.tif 000007
【図６】
2004222500.tif 000008
【図７】
2004222500.tif 000009
【図８】
2004222500.tif 000010
【図９】
2004222500.tif 000011
【図１０】
2004222500.tif 000012
【図１１】
2004222500.tif 000013
【図１２】
2004222500.tif 000014
【図１３】
2004222500.tif 000015
【図１４】
2004222500.tif 000016
【図１５】
2004222500.tif 000017
【図１６】
2004222500.tif 000018
【図１７】
2004222500.tif 000019
【図１８】
2004222500.tif 000020
【図１９】
2004222500.tif 000021